(57)【要約】【課題】  チューブの口部直近に残る中身まで確実に絞り出せるチューブ絞り具を提供すること。【解決手段】  ホルダー１の上ロール２と下ロール３を所要の接触状態で配設し、両ロール２、３間に前方開口部（通路５）から後方開口部（通路５）に向けてチューブ１６を尾部から挿入し、チューブ１６内に残される中身を絞り出すチューブ絞り具において、  上ロール２の一方の軸端にハンドル１５を連接し、ホルダー１の下ロール３の前方には支持板７を揺動自在に設け、支持板７には前後方向へスライド自在にかつ上下方向に進退自在に押圧軸９を挿通し、押圧軸９の上端に押圧子１０を接合し、下端に押圧ヘッド１１を接合する。  このほか、ホルダー１の上ロール２の前方すなわち、上ホルダー１２の前方に押圧板１９を揺動自在に又は一体的に設けたり、下ロール３をロールホルダー２３に軸支して押しネジ２２で下ロール３を上下調節したり、押圧板１９に開口溝２４を設けて蓋板２６を開閉自在に設けるなどである。【選択図】  図８
2006027726.tif 000002
【特許請求の範囲】
【請求項１】
直方体状のホルダーに上ロールと下ロールを所要の接触状態で配設し、両ロール間に前方開口部から後方開口部に向けてチューブを尾部から挿入し、チューブ内に残される中身を絞り出すチューブ絞り具において、
前記上ロールの一方の軸端にハンドルを接合し、ホルダーの下ロールの前方には支持板を揺動自在に軸支するとともに、支持板の幅方向中央には前後に長孔の挿通孔を貫設し、該挿通孔に前後方向へスライド自在にかつ上下方向に進退自在に押圧軸を挿通し、該押圧軸の上端に所要形状の押圧子を接合し、下端に押圧ヘッドを接合して成るチューブ絞り具。
【請求項２】
前記ホルダーの上ロールの前方に、平面視中央に横向きＵ状の開口溝を前端から欠設した押圧板を一体に突設して成る請求項１記載のチューブ絞り具。
【請求項３】
前記ホルダーの上ロールの前方に押圧板を揺動自在に軸支して成る請求項１記載のチューブ絞り具。
【請求項４】
前記押圧板の幅方向中央に前端から所要幅の開口溝を欠設するとともに、該押圧板の上面に、その一部の閉塞部を前記開口溝に嵌着してその下面を所要形状に成形した蓋板を開閉自在に軸支して成る請求項３記載のチューブ絞り具。
【請求項５】
ホルダーの下方に下ロールを軸支するロールホルダーを抜き差し自在に遊嵌するとともに、ホルダーの下面に所要間隔を配して受け座を前方に向けて垂下横設し、該受け座に押しネジを螺合してロールホルダーを押し上げ支持して成る請求項１乃至４のいずれか１項に記載のチューブ絞り具。
【発明の詳細な説明】
【技術分野】
【０００１】  本発明は、各種チューブの中身を僅かな量まで確実に絞り出せるチューブ絞り具に関する。
【背景技術】
【０００２】  従来からチューブの中身を絞り出すための利器は種々提案されているが、何れもチューブの口部直近の肩部に残る中身を絞り出せないものである。
一例として、特開平１０−２６２８５４号公報に開示された歯磨きチューブの押し出し器は、上下に配設した送りローラとピンチローラ間にチューブを挟み、中身をチューブの口部へ絞り出すもので、チューブの尾部を挟み込むときに、ピンチローラの軸心を下げて両ローラ間の接触面間を広げ、尾部を容易に挿入できる点では優れているが送りローラの回転が間欠的で、残部の中身を絞り出すには間怠いものである。
また、巻付け軸のスリットにチューブ容器の底部を差し込み係止して巻き付けながら高粘液材を吐出させる高粘度液体の吐出具が、特開平５−３２２５９号公報に開示されているが、巻付け軸に羽根状の把手部を有するためチューブ容器の巻き付けには便利であるが、容器支持体の上下の当接片ではチューブ容器の肩部に残る中身を確実に吐出できないものである。
【特許文献１】特開平１０−２６２８５４号公報
【特許文献２】特開平５−３２２５９号公報
【発明の開示】
【発明が解決しようとする課題】
【０００３】  本発明は上記に鑑みて、チューブの口部直近に残る中身まで確実に絞り出せるチューブ絞り具を提供するものである。
【課題を解決するための手段】
【０００４】  上記課題を解決する請求項１のチューブ絞り具は、直方体状のホルダーに上ロールと下ロールを所要の接触状態で配設し、両ロール間に前方開口部から後方開口部に向けてチューブを尾部から挿入し、チューブ内に残される中身を絞り出すチューブ絞り具において、前記上ロールの一方の軸端にハンドルを接合し、ホルダーの下ロールの前方には支持板を揺動自在に軸支するとともに、支持板の幅方向中央には前後に長孔の挿通孔を貫設し、該挿通孔に前後方向へスライド自在にかつ上下方向に進退自在に押圧軸を挿通し、該押圧軸の上端に所要形状の押圧子を接合し、下端に押圧ヘッドを接合して成る。
また、請求項２のチューブ絞り具は、請求項１のチューブ絞り具において、前記ホルダーの上ロールの前方に、平面視中央に横向きＵ状の開口溝を前端から欠設した押圧板を一体に突設して成る。
また、請求項３のチューブ絞り具は、請求項１のチューブ絞り具において、前記ホルダーの上ロールの前方に押圧板を揺動自在に軸支して成る。
また、請求項４のチューブ絞り具は、前記押圧板の幅方向中央に前端から所要幅の開口溝を欠設するとともに、該押圧板の上面に、その一部の閉塞部を前記開口溝に嵌着してその下面を所要形状に成形した蓋板を開閉自在に軸支して成る。
さらに、請求項５の絞り具は、請求項１乃至４のいずれか１項に記載のチューブ絞り具において、ホルダーの下方に下ロールを軸支するロールホルダーを抜き差し自在に遊嵌するとともに、ホルダーの下面に所要間隔を配して受け座を前方に向けて垂下横設し、該受け座に押しネジを螺合してロールホルダーを押し上げ支持して成る。
【発明の効果】
【０００５】  本発明の請求項１におけるチューブ絞り具では、支持板に案内される押圧子をチューブの肩部に当接し、押圧ヘッドを押圧することによって肩部に残る中身をチューブの口部から絞り出すことができ、また、請求項２のチューブ絞り具では押圧ヘッドを押圧するだけで肩部が押圧板の下面に押し潰され、請求項３におけるチューブ絞り具では、支持板の押圧子と押圧板とによって両者を姿勢変更自在にチューブの口部をも押し潰すことができるから該口部に残る中身も絞り出すことができるものである。また、請求項４におけるチューブ絞り具では、蓋板を開けた状態の押圧板の開口溝にチューブの口部を案内し、上方の押圧板と下方の支持板の押圧子とによってチューブの肩部を押し潰し、該肩部に残る中身を簡単確実に絞り出すことができる。また、請求項５におけるチューブ絞り具では、前記各効果のほかに、それぞれ下ロールを上ロールに対して所要の間隔に押しネジで設定できるから、チューブの厚みに応じてその尾部を入れ易くなるから、絞り出し操作がし易くなる。
【発明を実施するための最良の形態】
【０００６】  本発明の実施においては、上ロールの一方の軸端に連接されるハンドルは、直接的に接合されるものから間接的に歯車等の減速機構を介して軽く絞り出しできるものまで選択され、また、押圧板は固定のものから揺動自在に軸支されるものまで提供され、固定の場合は単に開口溝のみのものが選択され、押圧板に軸支される蓋板はその下面が押圧板の下面と面一であるものや、押圧板の下面より所要形状で突出したものなどであり、いずれにしても下方の支持板の押圧子と共働してチューブの肩部や口部を押し潰すのに支障のない形状であればよい。さらに、下ロールに関して該下ロールを軸支するロールホルダーを受け座を介して押しネジで押し上げ支持する構成で、押しネジを弛めてロールホルダーの自重で下ロールを降下させるほか、ロールホルダーを弾発力その他方の強制手段で降下させることなども考慮される。
【実施例】
【０００７】  本発明を実施例により具体的に説明すると、図１に示すチューブ絞り具Ａは、直方体状のホルダー１と、該ホルダー１に上下一対にその円弧部を上下に接触して配設される上ロール２と、下ロール３と、両ロール２、３の中央に挟まれた接触円弧部４へ左右（前後）から連通する開口部である通路５と、下ロール３の左方（前方）へ跳ね出し状に、該下ロール３の軸心にホルダー１の正背面側の軸受部６において揺動自在に軸支される平面視横向き山形の支持板７と、該支持板７の幅方向中央で左右（前後）に上下から貫通する長孔の挿通孔８と、該挿通孔８に左右方向へスライド自在にかつ上下に進退自在に挿通される押圧軸９と、該押圧軸９の上端に接合される所要形状の押圧子１０と、下端に接合される押圧ヘッド１１とから成る。
そして、前記ホルダー１は上ロール２の軸心を含む平面上で上ホルダー１２と下ホルダー１３とが左右に配設されるビス１４で接合され、上ロール２と下ロール３はそれぞれ適度な硬度を有する弾性外筒が芯軸に外嵌されるとともに、上ロール２の一方（背面側）の軸端にハンドル１５を接合して成る。【０００８】  このようにして成るチューブ絞り具Ａは、ホルダー１の左方の通路５からチューブ１６（金属製チューブ或は軟質プラスチックチューブ等）の尾部が、上ロール２と下ロール３との間に挿通され、ハンドル１５を回転して尾部から徐々にチューブ１６を噛み込んで中身（練りわさび、練りからし等の香辛料、練り歯磨きなど）を口部方向へ絞り出し、図２に示す状態まで絞り出したら支持板７の押圧軸９の押圧ヘッド１１を親指で押し上げ、押圧子１０をチューブ１６の肩部１７の下面に押し当てつつ、人差し指と中指間に口部１８を案内して両指を肩部１７の上面に当てて押し潰すと、中身は口部１８から簡単に絞り出される。【０００９】  次に、チューブ絞り具Ｂについて説明すると、このものは図３に示すように、前記チューブ絞り具Ａにおいて、上ロール２の軸心に図４に示す平面視横向き山形の押圧板１９をホルダー１の正背面側の軸受部６において揺動自在に軸支して成る。【００１０】  このようにして成るチューブ絞り具Ｂは、ホルダー１の左方の通路５からチューブ１６の尾部が上ロール２と下ロール３との間に挿通され、ハンドル１５を回転して尾部から徐々にチューブ１６を噛み込んで中身を口部方向へ絞り出し、図５に示す状態まで絞り出したら上方の押圧板１９と下方の支持板７間にチューブ１６の口部１８と肩部１７とを挟み込み、押圧ヘッド１１を親指で押し込みつつ押圧板１９を人差し指で押圧することにより、チューブ１６の口部１８と肩部１７とを肩部１７から口部１８に向けて徐々に押し潰すことができるから、中身を簡単確実に絞り出すことができる。【００１１】  次に、チューブ絞り具Ｃについて説明すると、図６に示すように、直方体状のホルダー１と、該ホルダー１に上下一対にその円弧部を上下に接触して配設される上ロール２と、下ロール３と、両ロール２、３の中央に挟まれた接触円弧部４へ左右（前後）から連通する通路５と、下ロール３の左方で該下ロール３の軸心にホルダー１の正背面側の軸受部６において揺動自在に軸支される平面視横向き山形の支持板７と、該支持板７の幅方向中央で左右に上下から貫通する長孔の挿通孔８と、該挿通孔８に左右方向へスライド自在にかつ上下に進退自在に挿通される押圧軸９と、該押圧軸９の上端に接合される所要形状（僅かに上に凸状）の押圧子１０と、下端に接合される押圧ヘッド１１と、ホルダー１の下面に所要間隔を配して左方へ向けて垂下横設する受け座２０と、該受け座２０の正背面側両端に垂下する脚２１と、受け座２０に螺合する押しネジ２２とから成る。
そして、前記ホルダー１は上ロール２の軸心を含む平面上で上ホルダー１２と下ホルダー１３とが左右に配設されるビス１４で接合され、上ロール２と下ロール３はそれぞれ適度な硬度を有する弾性外筒が芯軸に外嵌されるとともに、上ロール２の一方（背面側）の軸端にハンドル１５が接合され、下ロール３は下ホルダー１３に上下摺動自在に案内されるロールホルダー２３に軸支され、前記押しネジ２２の上部軸端がロールホルダー２３の下面に当接されて成る。【００１２】  このようにして成るチューブ絞り具Ｃは、チューブ絞り具Ａの使用状態と同様に使用されるが、押しネジ２２の調節によってロールホルダー２３の上下位置を加減できるから、上ロール２に対して下ロール３の接触状態を調整でき、チューブ１６の尾部を両ロール２、３間に入れ易くなる。【００１３】  次に、チューブ絞り具Ｄについて説明すると、図７（ａ）に示すようにチューブ絞り具Ｃにおいて、上ロール２の軸心に分図（ｂ）に示す平面視横向き山形の押圧板１９をホルダー１の正背面側の軸受部６において揺動自在に軸支して成り、押圧板１９には幅方向中央に左端（前端）から所要幅（チューブ１６の口部１８を挿通するに足る幅）の開口溝２４を欠設するとともに、該押圧板１９の上面に、その一部の閉塞部２５を前記開口溝２４に嵌着してその下面を押圧板１９の下面と面一とする蓋板２６を正背面側の軸受け２７において開閉自在に軸支して成る。【００１４】  このようにして成るチューブ絞り具Ｄは、押しネジ２２によって下ロール３の上ロール２に対する位置関係が調節され、左方の通路５からチューブ１６の尾部がハンドル１５の回転操作によって両ロール２、３間に噛み込まれ、チューブ１６内に残留する中身は徐々に絞り出され、ついに図８に示す状態となったとき、支持板７における押圧ヘッド１１を親指で押圧しつつ押圧板１９における蓋板２６を人差し指で押圧し、蓋板２６の下面と押圧子１０の上面間にチューブ１６の口部１８と肩部１７とを肩部１７から徐々に押し潰し、両者に残留する中身を簡単確実に絞り出しできる。【００１５】  また、金属製のチューブ１６で肩部１７の周部を直径方向から押し潰すのに無理な場合には、図９に示すように、押圧板１９の蓋板２６を開き、開口溝２４にチューブ１６の口部１８を案内し、押圧板１９と支持板７における押圧子１０とによってチューブ１６の肩部１７を押し潰し、肩部１７に残留する中身を口部１８から簡単確実に絞り出しできるのである。
このほか、図１０のチューブ絞り具Ｅに示すように、ホルダー１の上ホルダー１２の前方に、揺動自在な押圧板１９に代えて固定された押圧板１９ａの前端から平面視横向きＵ状に欠設した開口溝２４ａにチューブ１６の口部１８を案内し、下方の支持板７における押圧ヘッド１１のみを指で押圧することで肩部１７に残る中身を簡単に絞り出しできるのである。
以上のように本発明のチューブ絞り具Ａ乃至Ｅでは、広範な自由度でチューブ内に残留する中身を簡単確実に絞り出しできるから、チューブで提供される香辛料や練り歯磨などを経済的に使い切ることができる。
なお、本実施例で示したものはほんの一例であり、本発明はこれに限定されるものではなく、特許請求の範囲を逸脱しない範囲で、各チューブ絞り具Ａ乃至Ｅに示した要部を組み合わせて適宜に実施できることは勿論である。
【産業上の利用可能性】
【００１６】  本発明は、チューブの中身を無駄なく使い切るという節約の精神から発想したものであるから、食卓用具としては誰もが必要とするものである。このほか、チューブ自体の包装容器業界の活性化にも資するものである。
【図面の簡単な説明】
【００１７】
【図１】    本発明に係るチューブ絞り具Ａの説明図で、（ａ）はその正面図であり、（ｂ）は支持板７を下方へ降下させた状態の正面図であり、（ｃ）は（ａ）の平面図である。
【図２】    チューブ絞り具Ａの使用状態の説明図である。
【図３】    本発明に係るチューブ絞り具Ｂの正面図である。
【図４】    図３の平面図である。
【図５】    チューブ絞り具Ｂの使用状態の説明図である。
【図６】    本発明に係るチューブ絞り具Ｃの説明図で、（ａ）はその正面図であり、（ｂ）は（ａ）の右側面図である。
【図７】    本発明に係るチューブ絞り具Ｄの説明図で、（ａ）はその蓋板２６を仮想線で示す位置に上げた状態の正面図であり、（ｂ）はその蓋板２６を閉じた平面図である。
【図８】    チューブ絞り具Ｄの使用状態の説明図である。
【図９】    チューブ絞り具Ｄの他の使用状態の説明図である。
【図１０】    チューブ絞り具Ｅの使用状態の説明図である。
【符号の説明】
【００１８】１  ホルダー
２  上ロール
３  下ロール
４  接触円弧部
５  通路
６  軸受部
７  支持板
８  挿通孔
９  押圧軸
１０  押圧子
１１  押圧ヘッド
１２  上ホルダー
１３  下ホルダー
１４  ビス
１５  ハンドル
１６  チューブ
１７  肩部
１８  口部
１９  押圧板
２０  受け座
２１  脚
２２  押しネジ
２３  ロールホルダー
２４  開口溝
２５  閉塞部
２６  蓋板
２７  軸受け
Ａ乃至Ｅ  チューブ絞り具
【図１】
2006027726.tif 000003
【図２】
2006027726.tif 000004
【図３】
2006027726.tif 000005
【図４】
2006027726.tif 000006
【図５】
2006027726.tif 000007
【図６】
2006027726.tif 000008
【図７】
2006027726.tif 000009
【図８】
2006027726.tif 000010
【図９】
2006027726.tif 000011
【図１０】
2006027726.tif 000012